(57)【要約】      （修正有）【課題】使用者が取り扱いやすく、かつ装着時に不快感を与えないフィットしやすいマスクを提供する。【解決手段】使用者の鼻口部を覆うように装着し、上下左右方向に所定の大きさを有するとともに、少なくともマスク装着時に表面側に位置する表面層と装着時に鼻口部に近接する裏面層とを有する複数の層を重ね合わせて形成され、表面層と裏面層とが線状接合部で接合されたマスク本体２と、マスク本体２の形状を所定形状に保持するためのワイヤ部材２０とを備え、線状接合部１０、１１は、所定の間隔を開けて形成された複数の線状接合線１２、１３からなり、マスク本体２の左右方向中央部から所定長さを有する位置では、互いに隣り合う線状接合線１２、１３との間隔が左右両端部における線状接合線１２、１３との間隔よりも広くなるように形成された幅広部１６を有し、幅広部１６にはワイヤ部材２０を配置するワイヤ部材収納部１８が形成されている。【選択図】図１
0003220304.tif 000002
【実用新案登録請求の範囲】
【請求項１】
装着時に使用者の耳に引っ掛けて前記使用者の鼻口部を覆うように装着するマスクであって、
上下方向及び左右方向に所定の大きさを有するとともに、少なくともマスク装着時に表面側に位置する表面層と前記装着時に前記鼻口部に近接する裏面層とを有する複数の層を重ね合わせて形成され、前記表面層と前記裏面層とが線状接合部で接合されたマスク本体と、
前記マスク本体の形状を所定形状に保持するためのワイヤ部材とを備え、
前記線状接合部は、所定の間隔を開けて形成された複数の線状接合線からなり、前記マスク本体の左右方向中央部から所定長さを有する位置では、互いに隣り合う前記線状接合線と線状接合線との間隔が前記マスク本体の左右両端部における前記線状接合線と線状接合線との間隔よりも広くなるように形成された幅広部を有するとともに、前記マスク本体の左右両端部においては前記幅広部よりも幅が狭い幅狭部を有し、
前記幅広部には前記ワイヤ部材を配置するワイヤ部材収納部が形成されていることを特徴とするマスク。
【請求項２】
前記線状接合部には、前記幅広部と前記幅狭部との間に段差部が形成されている請求項１記載のマスク。
【請求項３】
前記幅広部は、前記左右方向の長さが前記ワイヤ部材の前記左右方向の長さよりも長くなるように形成されており、
前記ワイヤ部材収納部は、前記ワイヤ部材の前記左右両端部と前記段差部との間に遊び部を有する請求項１又は２記載のマスク。
【請求項４】
前記幅狭部の幅が前記ワイヤ部材の幅よりも狭くなるように形成されている請求項１から３のいずれかに記載のマスク。
【請求項５】
前記ワイヤ部材収納部は、前記マスク本体の高さ方向上部又は高さ方向中央部の少なくともいずれかに形成されている請求項１から４のいずれかに記載のマスク。
【考案の詳細な説明】
【技術分野】
【０００１】
本考案は、マスクに関する。
【背景技術】
【０００２】
従来から、花粉症の対策や風邪の予防、埃等から身を守る対策の一つとしてマスクが用いられている。近年は、特に花粉症を患う人が急激に増えたり、ＰＭ２．５やインフルエンザの対策などの理由から、体調がすぐれないときだけではなく、普段から日常的にマスクを使用する人の数も増えてきている。
【０００３】
一般的に、マスクは、使用時に使用者の鼻口部を覆うマスク本体と、両端がマスク本体に取り付けられて輪状に形成され、使用時には使用者の耳に掛ける耳掛け部とから構成されている。従来のマスクは、マスク本体にガーゼなどを使用しているものが多かった。しかしながら、このような従来のマスクは一度使用した後は洗濯して何度も繰り返し使用することを前提にしていた。そのため、洗濯の頻度や使用回数、使われ方によって汚れが目立つようになって来たり、次第に衛生的ではなくなっていく傾向があり、使用し始めた当初と同じ程度の清潔状態を常に維持することができないという問題があった。
【０００４】
そのため、近年では、一度使用したら廃棄するマスクが広く用いられるようになっている。マスクは、一般的にはマスク本体に不織布を用いており、使用した後に洗濯をして何度も繰り返し使用する必要がなく、使用者が使用した後は廃棄する。次にマスクを使用するときはまた別の新品のマスクを使用する。これによって従来から用いられていたガーゼタイプのマスクで懸念されていた衛生上の問題点を解消することができた。
【０００５】
近年になって広く用いられているマスクは、マスク本体に不織布を用いているだけでなく、マスク本体の上部、すなわち使用者がマスクを着用したときに使用者の鼻の部分に位置する箇所にワイヤ部材が配置するように形成されているものが多い。このワイヤ部材は、マスク本体の形状を保持することができるようにするためのものである。使用者の顔の形状は人それぞれ異なるため、装着時にワイヤ部材の形状を変化させることによって、使用者の顔の形状にフィットさせ、かつその状態を維持することができる。
【０００６】
しかし、このように形成されたマスクであっても、使用者がマスクを一旦取って再度装着する場合には、ワイヤ部材が変に変形してしまったり、又はワイヤ部材の位置が使用当所の所定位置から大きくずれてしまって、使用者の顔の形状にフィットさせるようにするのが面倒になることもあった。そのため、下記に示す特許文献１，２に記載されたマスクは、ワイヤ部材が配置されている箇所において、このワイヤ部材がマスク本体の左右方向に大きくずれないよう、ワイヤ部材が移動する可能性のある箇所にエンボス加工を施してワイヤ部材のズレを解消したマスクが開示されている。
【先行技術文献】
【特許文献】
【０００７】
【特許文献１】特開２０１８−８３９８８号公報
【特許文献２】特開２０１５−２１７１４２号公報
【考案の概要】
【考案が解決しようとする課題】
【０００８】
上記した特許文献１，２に記載されたマスクは、マスク本体においてワイヤ部材が配置されている箇所の左右方向の延長線上に接合部を形成することにより、ワイヤ部材が大きく移動することを防止している。しかしながら、このようにワイヤ部材が配置されている箇所の左右方向の延長線上に接合部を形成すると、製造時にワイヤ部材も誤って接合してしまうおそれがあるといった問題があった。このようにワイヤ部材も接合してしまうと、マスク本体における接合箇所が硬くなりすぎてしまい、マスクを装着すると使用者の顔に硬くなった箇所が当たって使用者に不快感を与えたり、使用者の顔にフィットさせることができなくなるといった問題が生じていた。
【０００９】
本考案は、上記した問題に鑑みてなされたものであり、使用者が扱いやすく、かつ装着時に不快感を与えないフィットしやすいマスクを提供することを目的とする。
【課題を解決するための手段】
【００１０】
本考案は、
（１）装着時に使用者の耳に引っ掛けて前記使用者の鼻口部を覆うように装着するマスクであって、上下方向及び左右方向に所定の大きさを有するとともに、少なくともマスク装着時に表面側に位置する表面層と前記装着時に前記鼻口部に近接する裏面層とを有する複数の層を重ね合わせて形成され、前記表面層と前記裏面層とが線状接合部で接合されたマスク本体と、前記マスク本体の形状を所定形状に保持するためのワイヤ部材とを備え、前記線状接合部は、所定の間隔を開けて形成された複数の線状接合線からなり、前記マスク本体の左右方向中央部から所定長さを有する位置では、互いに隣り合う前記線状接合線と線状接合線との間隔が前記マスク本体の左右両端部における前記線状接合線と線状接合線との間隔よりも広くなるように形成された幅広部を有するとともに、前記マスク本体の左右両端部においては前記幅広部よりも幅が狭い幅狭部を有し、前記幅広部には前記ワイヤ部材を配置するワイヤ部材収納部が形成されていることを特徴とするマスク、
（２）前記線状接合部には、前記幅広部と前記幅狭部との間に段差部が形成されている上記（１）記載のマスク、
（３）前記幅広部は、前記左右方向の長さが前記ワイヤ部材の前記左右方向の長さよりも長くなるように形成されており、前記ワイヤ部材収納部は、前記ワイヤ部材の前記左右両端部と前記段差部との間に遊び部を有する上記（１）又は（２）記載のマスク、
（４）前記幅狭部の幅が前記ワイヤ部材の幅よりも狭くなるように形成されている上記（１）から（３）のいずれかに記載のマスク、
（５）前記ワイヤ部材収納部は、前記マスク本体の高さ方向上部又は高さ方向中央部の少なくともいずれかに形成されている上記（１）から（４）のいずれかに記載のマスクを要旨とする。
【考案の効果】
【００１１】
本考案によれば、マスク本体における線状接合部が幅広部及び幅狭部を備えており、この幅広部にワイヤ部材収納部を形成してワイヤ部材を収納しているので、複数の線状接合線以外に他の接合部を形成しなくてもワイヤ部材の大きな移動を抑えることができる。そのため、製造時に誤ってワイヤ部材を接合してしまう不具合を確実に防止することができるのみならず、使用者が装着したときにも不快感を与えることのないマスクを提供することができる。
また、本考案によれば、マスクを装着したときにワイヤ部材を変形させることで使用者の顔にフィットさせることができるので、埃や粉じんなど、外部から飛散してくる異物を鼻口部から吸引してしまうことを防止することもできる。
【図面の簡単な説明】
【００１２】
【図１】本考案に係るマスクの第１の実施の形態を表す正面図である。
【図２】マスク本体の断面図である。
【図３】本考案に係るマスクの第２の実施の形態を表す正面図である。
【考案を実施するための形態】
【００１３】
本考案に係るマスクの実施の形態について詳細に説明する。図１は本考案に係るマスクの第１の実施の形態を表す正面図、図２はマスク本体の断面図、図３は本考案に係るマスクの第２の実施の形態を表す正面図である。なお、本明細書において上下左右という場合は、使用者がマスクを着用した時における、そのマスクの上下方向、左右方向を示すものとして説明する。
【００１４】
まず、第１の実施の形態に係るマスクについて説明する。図１に示すように、マスク１は、装着時に使用者の耳に引っ掛けて該使用者の鼻口部を覆うように装着し、使用者の顔面の対象部位を覆うように形成されている。マスク１は、上下方向及び左右方向に所定の大きさを有するマスク本体２と、マスク１を使用者が着用した時に、このマスク本体２が使用者の顔面の対象部位としての鼻口部や顎等を覆う状態を維持するための耳掛け部３ａ，３ｂとを有している。耳掛け部３ａ，３ｂは、例えば伸縮可能な紐状の部材で形成されており、両端部がマスク本体２に超音波融着や熱融着などの任意な方法によって接合されている。図１にも示すように、耳掛け部３ａ，３ｂは、両端がマスク本体２に接合されており、該マスク本体２から左右方向に輪状に延出する。使用者は、耳掛け部３ａを使用者の左耳に引っ掛け、耳掛け部３ｂを使用者の右耳に引っ掛けてマスク１を装着する。
【００１５】
マスク本体２には、該マスク本体２が上下方向に広がることができるようにするためのプリーツ４が形成されている。本発明に係るマスクでは、プリーツ４は上下方向の４ヶ所に形成されており、それぞれのプリーツ４が互いに平行になるように、並列に形成されている。マスク本体２は、これらプリーツ４が形成されていることによって、使用者がマスク１を装着する時にはマスク本体２を上下方向に伸ばして広げることができたり、使用者がマスクを顔から取る時にはマスク本体を上下方向に縮めて小さくすることができるようになっている。マスク本体２は、プリーツ４を上下方向に広げると、使用者がマスク１を装着した時に使用者の鼻口部及び顎を含む使用者の顔面の対象部位を全体的に覆うことができる大きさとなるように形成されている。
【００１６】
なお、このプリーツ４を形成するための方法としては、マスク本体２を折り畳むことによって形成する方法が採用されることが多く、折り畳み方も複数種類存在するが、本実施の形態におけるマスク本体２では、プリーツ４の形成方法は従来から知られているものを任意に選択して形成してよい。
【００１７】
次に、マスク本体２の層構成について説明する。本発明におけるマスク本体２は、少なくとも表面層５及び裏面層６を少なくとも有する複数の層を重ね合わせて形成されている。本実施の形態に係るマスク１では、図２に示すように、マスク本体２は表面層５、中間層７及び裏面層６の３層構成となっている。なお、本実施の形態では、マスク本体２が表面層５、中間層７及び裏面層６からなる３層構成である例を用いて説明するが、マスク本体２は３層以外の層構成であってもよい。そして、マスク本体２は、これら表面層５、中間層７及び裏面層６が重ね合わされており、これら重ね合わされた表面層５、中間層７及び裏面層６は超音波融着や熱融着等の方法で接合されている。本実施の形態に係るマスク１では、マスク本体２を構成するこれら表面層５、中間層７及び裏面層６を後述する線状接合部としての第１線状接合部１０及び第２線状接合部１１により接合されている例を用いて説明するが、接合の態様はこれに限定されるものではない。
【００１８】
表面層５は、使用者がマスク本体２を装着した時に表面側に位置する層である。言い換えると、表面層５は装着時に使用者とは最も離れる反対側に位置する層である。この表面層５は、マスク本体２に厚みや強度を付与する層である。この表面層５は、例えば、エアスルー不織布、スパンボンド不織布、スパンレース不織布等によって形成されている。
【００１９】
裏面層６は、使用者がマスク本体２を装着した時に最も使用者の顔に近い位置に位置する層である。この裏面層６は、マスク本体２に厚みや強度を付与するとともに、使用者の肌と直接接したときに肌触りをよくするために設けられている層である。この裏面層６は、例えば、エアスルー不織布、スパンボンド不織布、スパンレース不織布等によって形成されている。
【００２０】
中間層７は、表面層５と裏面層６との間に位置する層であり、表面層５と裏面層６とに挟まれるようにして重ね合わせられている。この中間層７はフィルター機能を有しており、例えばメルトブロー不織布によって形成されている。なお、中間層７には、香料や抗菌・抗ウイルス効果を有する薬剤等を塗布してもよい。このように香料を設けたり、抗菌・抗ウイルス効果を有する薬剤を塗布することによって、使用者がマスク本体２を着用している時に、より快適性を向上させることができたり、使用時に鼻口部を覆うことによる閉塞感を感じて不快感を覚えることを大幅に低減することができる。
【００２１】
中間層７に使用することのできる香料としては、例えば、メントール、カルボン、シネオール、リモネン、ピネン、カンファ―、リナロール、ターピネオール、ペパーミント、スペアミント、ローズマリー、ラベンダー、ティートゥリー、カモミル、ユーカリ、オレンジ、レモン、ネロリ、ベルガモット、プチグレン等が挙げられる。また、抗菌・抗ウイルス効果を有する薬剤としては、例えば、ローズバッツ等が挙げられる。
【００２２】
上記した香料や抗菌・抗ウイルス効果を有する薬剤の塗布量や中間層７に対して塗布する範囲は特に限定されることはないものの、マスク本体２の上下方向中央部よりも下方に位置する所定の範囲内に塗布することが好ましい。仮に、マスク本体２の上下方向中央部よりも上方に位置する範囲内に塗布すると、マスク本体２を使用者が着用した時に目に沁みたり、目が刺激を受けて涙が出るなどの不都合が生じるおそれもあるからである。
【００２３】
マスク本体２の上下方向両側、すなわちマスク本体２の上端部２ａと下端部２ｂには、表面層５、中間層７及び裏面層６とともに耳掛け部３ａ，３ｂの両端部を熱溶着等によって接合した溶着部が形成されている。これら溶着部は、マスク本体２の上端部２ａには上側溶着部８として形成されており、マスク本体２の下端部２ｂには下側溶着部９として形成されている。これら上側溶着部８及び下側溶着部９は、熱溶着部分が上下方向に平行に並ぶように形成されている。また、これら上側溶着部８及び下側溶着部９は、マスク本体２の左右方向両端部に位置する上側溶着部８同士が左右方向に平行に並び、下側溶着部９同士が左右方向に平行に並ぶように形成されている。
【００２４】
マスク本体２において、左右方向両端に位置する上側溶着部８の間には線状接合部としての第１線状接合部１０が形成されている。また、マスク本体２において左右方向両端に位置する下側溶着部９の間には線状接合部としての第２線状接合部１１が形成されている。第１線状接合部１０は所定の間隔を開けて形成された複数の線状接合線としての第１線状接合線１２及び第２線状接合線１３から構成されている。これら第１線状接合線１２及び第２線状接合線１３は、本実施の形態では超音波融着によって表面層５、中間層７及び裏面層６を接合しているが、表面層５から裏面層６までを接合する方法は超音波融着以外の方法であってもよい。
【００２５】
図１に示すように、第１線状接合線１２は、マスク本体２の左右方向中央部から所定長さを有する位置までの高さ方向の位置とマスク本体２の左右両端部における高さ方向の位置とが異なっており、マスク本体２の左右方向中央部から所定長さを有する位置までの方がマスク本体２の左右方向両端部における高さ方向の位置よりも上側に位置するように形成されている。そして、第１線状接合線１２において、マスク本体２の左右方向両端部における第１線状接合線１２とマスク本体２の左右方向中央部から所定長さを有する位置までの第１線状接合線１２との間は、外方向に向けて斜め状に形成された段差部としての第１段差部１４が形成されている。
【００２６】
第２線状接合線１３は、マスク本体２の左右両端部における高さ方向の位置が異なっており、マスク本体２の左右方向中央部から所定長さを有する位置までの方がマスク本体２の左右方向両端部における高さ方向の位置よりも下側に位置するように形成されている。そして、第２線状接合線１３において、マスク本体２の左右方向両端部における第２線状接合線とマスク本体２の左右方向中央部から所定長さを有する位置までの第２線状接合線１３の間は、下方向に向けて斜めに形成された段差部としての第２段差部１５が形成されている。
【００２７】
第１線状接合部１０は、第１線状接合線１２においては第１段差部１４と第１段差部１４との間に位置する箇所及び第２線状接合線１３においては第２段差部１５と第２段差部１５との間に位置する箇所における幅ｈ１は、第１段差部１４及び第２段差部１５よりも外側に位置する箇所における幅ｈ２よりも広くなっており、ｈ１＞ｈ２の関係となるように形成されている。すなわち、マスク本体２は、マスク本体２の左右方向中央部から所定長さを有する位置では、第１線状接合部１０において互いに隣り合うように形成されている第１線状接合線１２と第２線状接合線１３との間隔が、左右両端部における第１線状接合線１２と第２線状接合線１３との間隔よりも広くなるように形成された幅広部１６となっており、左右両端部においては幅広部１６よりも幅が狭い幅狭部１７が形成されるとともに、これら幅広部１６と幅狭部１７との間には第１段差部１４及び第２段差部１５が形成されている。
【００２８】
第１線状接合線１２及び第２線状接合線１３の間において、これら第１線状接合線１２と第２線状接合線１３との間の間隔がｈ１となっている箇所、すなわち幅広部１６には、ワイヤ部材収納部１８が形成されている。ワイヤ部材収納部１８は、内部にワイヤ部材２０を収納するためのスペースである。このワイヤ部材収納部１８は、左右方向の幅Ｌ１がワイヤ部材２０の左右方向の長さＬ２よりも大きく、Ｌ１＞Ｌ２の関係となる大きさに形成されている。そして、ワイヤ部材収納部１８の左右両端部から段差部までの間に形成されている幅Ｌ３を有する箇所は、ワイヤ部材２０が自由に移動できる遊び部１９となっている。
【００２９】
ワイヤ部材２０は、可撓性を有する材料で形成されており、使用者がマスク本体２を装着するときに、使用者の鼻元の形状に沿うように変形させることができるようになっている。ワイヤ部材２０は、このような材料で形成することによりマスク本体２の上端部２ａと使用者の顔面との間に形成される隙間の発生を防止できるようになっている。このワイヤ部材２０は使用者の鼻元の形状に沿うように自在に変形させることのできる材料で形成されているため、例えば使用者がマスク１を一旦外して、再度そのマスク１を装着する時にも、容易にワイヤ部材２０の形状を使用者の鼻元と合わせることができる。
【００３０】
また、このワイヤ部材２０は、上記した通りワイヤ部材収納部１８の中に収納された状態で配置されている。また、ワイヤ部材２０は、ワイヤ部材収納部１８の中において、遊び部１９が形成されている範囲内において自由に移動することができる状態で配置されている。このワイヤ部材２０の幅ｈ３は、幅広部１６の幅ｈ１よりも小さく、かつ幅狭部１７の幅ｈ２よりも大きくなっており、ｈ１＞ｈ３＞ｈ２の関係が成立するようになっている。そのため、ワイヤ部材２０は幅広部１６として機能しているワイヤ部材収納部１８内では自由に移動し、幅広部１６から幅狭部１７に移る第１段差部１４、第２段差部１５において左右両端面のいずれかが当たって、幅狭部１７内まで移動するのを規制でき、ワイヤ部材２０の位置ズレを確実に防止することができるようになっている。
【００３１】
第２線状接合部１１は、マスク本体２の下部に形成されており、所定の間隔を開けて形成された複数の線状接合線としての第３線状接合線２１及び第４線状接合線２２が形成されている。これら第３線状接合線２１及び第４線状接合線２２は、本実施の形態では超音波融着によって表面層５、中間層７、及び裏面層６を接合しているが、表面層５から裏面層６までを接合する方法は超音波融着以外の方法であってもよい。また、第２線状接合部１１の接合方法は、第１線状接合部の接合方法と同じであってもよいし、異なっていてもよい。
【００３２】
第３線状接合線２１及び第４線状接合線２２は互いに隣接し合うようにして直線状に形成されている。これら第３線状接合線２１及び第４線状接合線２２は、マスク本体２の左右方向に延びるように形成されており、それぞれが互いに平行となるような位置関係で形成されている。なお、本実施の形態では、第２線状接合部１１にはワイヤ部材を用いていないが、第２線状接合部１１にも新たにワイヤ部材収納部を形成して、ワイヤ部材を配置するようにしてもよい。
【００３３】
次に、本実施の形態に係るマスク１の作用効果を説明する。上記した構成を備えたマスク１は、使用者が耳掛け部３ａを左耳に引っ掛けて耳掛け部３ｂを右耳に引っ掛けることによって装着できる。この状態では、マスク１と使用者の顔との間に隙間ができているので、使用者の手によってワイヤ部材２０の形状を変えて、使用者の顔の形状に沿う形に変形させる。このようにすることで、使用者の顔の形状に合い、フィットさせることができる。マスク１を使用者の顔にフィットさせると、マスク本体２が鼻口部を全体的に覆い、かつ使用者の顔と外部に飛散している埃や粉じんなどを吸引するのを確実に防止することができる。
【００３４】
また、使用者が一旦マスク１を顔からとってポケット等に入れると、ワイヤ部材２０の形状はマスク１の装着時とは全く異なった形状になることが多い。また、ポケット等に入れたマスク１は、ワイヤ部材２０がワイヤ部材収納部１８内において移動したりするため、当初の形状を保ちながらポケット内にいることがない。このような場合に本実施の形態に係るマスク１によれば、ワイヤ部材２０の幅ｈ３と幅狭部１７の幅ｈ２との関係がｈ３＞ｈ２となっているので、ワイヤ部材収納部１８内でワイヤ部材２０が移動しても、ワイヤ部材２０の左右方向の端面が第１段差部１４、第２段差部１５に当ってそれ以上の移動が規制される。そのため、ワイヤ部材２０が大きく位置ズレを起こしたり、それによって使用者が再度着用するときに位置ズレを起こしたワイヤ部材２０を元の位置に戻さなければいけないといった煩雑さを確実に解消することができる。
【００３５】
さらに、本実施の形態に係るマスク１によれば、ワイヤ部材収納部１８に遊び部１９を形成しているので、マスク１を製造するときに誤ってワイヤ部材２０をマスク本体２と一緒に接合してしまって、マスク本体２の柔軟性を損なうという不具合をなくし、ワイヤ部材２０とマスク本体２を別々にした状態で接合することができる。
【００３６】
次に、本発明の第２の実施の形態に係るマスクついて説明する。なお、本実施の形態に係るマスクの構成について、先に説明した第１の実施の形態に係るマスクの構成と同じ箇所については説明を省略する。
【００３７】
図３に示すように、マスク３１は、マスク本体３２の構成が先に説明した第１の実施の形態に係るマスク本体２の構成と異なっている。すなわち、本実施の形態に係るマスク本体３２は、第１線状接合部１０及び第２線状接合部１１に加え、第３線状接合部３３が形成されている。この第３線状接合部３３は、マスク本体３２の上下方向中央部に形成されており、マスク本体３２の上下方向中央部における形状を所定形状に変形した後に保持することができるようになっている。このように構成することで、使用者がマスク３１を装着したときに、マスク本体３２の裏面層が使用者の顔面とマスク本体３２との間に所定の隙間を形成しやすくなるため、マスク本体３２が使用者の顔面に密着することによって使用者に不快感を与えるといったことを確実に防止することができるようになっている。
【００３８】
第３線状接合部３３は、所定の間隔を開けて形成された複数の線状接合線としての第５線状接合線３４及び第６線状接合線３５から構成されている。これら第５線状接合線３４及び第６線状接合線３５は、本実施の形態では超音波融着によって表面層５、中間層７及び裏面層６を接合しているが、表面層５から裏面層６までを接合する方法は超音波融着以外の方法であってもよい。
【００３９】
図３に示すように、第５線状接合線３４は、マスク本体３２の左右方向中央部から所定長さを有する位置までの高さ方向の位置とマスク本体３２の左右両端部における高さ方向の位置とが異なっており、マスク本体３２の左右方向中央部から所定長さを有する位置までの方がマスク本体３２の左右方向両端部における高さ方向の位置よりも上側に位置するように形成されている。そして、第５線状接合線３４において、マスク本体３２の左右方向両端部における第５線状接合線３４とマスク本体３２の左右方向中央部から所定長さを有する位置までの第５線状接合線３４との間には、外方向に向けて斜め状に形成された段差部としての第３段差部３６が形成されている。
【００４０】
第６線状接合線３５は、マスク本体３２の左右両端部における高さ方向の位置が異なっており、マスク本体３２の左右方向中央部から所定長さを有する位置までの方がマスク本体３２の左右方向両端部における高さ方向の位置よりも下側に位置するように形成されている。そして、第６線状接合線３５において、マスク本体３２の左右方向両端部における第２線状接合線とマスク本体３２の左右方向中央部から所定長さを有する位置までの第６線状接合線３５の間は、下方向に向けて斜めに形成された段差部としての第４段差部３７が形成されている。
【００４１】
第３線状接合部３３は、第５線状接合線３４においては第３段差部３６と第３段差部３６との間に位置する箇所及び第６線状接合線３５においては第４段差部３７と第４段差部３７との間に位置する箇所における幅ｈ４は、第３段差部３６及び第４段差部３７よりも外側に位置する箇所における幅ｈ５よりも広くなっており、ｈ４＞ｈ５の関係となるように形成されている。すなわち、マスク本体３２は、マスク本体３２の左右方向中央部から所定長さを有する位置では、第３線状接合部３３において互いに隣り合うように形成されている第５線状接合線３４と第６線状接合線３５との間隔が、左右両端部における第５線状接合線３４と第６線状接合線３５との間隔よりも広くなるように形成された幅広部３８となっており、左右両端部においては幅広部３８よりも幅が狭い幅狭部３９が形成されるとともに、これら幅広部３８と幅狭部３９との間には第３段差部３６及び第４段差部３７が形成されている。
【００４２】
第５線状接合線３４及び第６線状接合線３５の間において、これら第５線状接合線３４と第６線状接合線３５との間の間隔がｈ４となっている箇所、すなわち幅広部３８には、ワイヤ部材収納部４０が形成されている。ワイヤ部材収納部４０は、内部にワイヤ部材４１を収納するためのスペースである。このワイヤ部材収納部４０は、左右方向の幅Ｌ４がワイヤ部材４１の左右方向の長さＬ５よりも大きく、Ｌ４＞Ｌ５の関係となる大きさに形成されている。そして、ワイヤ部材収納部４０の左右両端部から第３段差部３６、第４段差部３７までの間に形成されている、幅Ｌ６を有する箇所は、ワイヤ部材４１が自由に移動できる遊び部４２となっている。
【００４３】
ワイヤ部材４１は、可撓性を有する材料で形成されており、使用者がマスク本体３２を装着するときに、使用者の鼻元の形状に沿うように変形させることができるようになっている。ワイヤ部材４１は、このような材料で形成することによりマスク本体３２の上端部３２ａと使用者の顔面との間に形成される隙間の発生を防止できるようになっている。このワイヤ部材４１は使用者の鼻元の形状に沿うように自在に変形させることのできる材料で形成されているため、例えば使用者がマスク３１を一旦外して、再度そのマスク３１を装着する時にも、容易にワイヤ部材４１の形状を使用者の鼻元と合わせることができる。
【００４４】
また、このワイヤ部材４１は、上記した通りワイヤ部材収納部４０の中に収納された状態で配置されている。また、ワイヤ部材４１は、ワイヤ部材収納部４０の中において、遊び部４２が形成されている範囲内において自由に移動することができる状態で配置されている。このワイヤ部材４１の幅ｈ６は、幅広部３８の幅ｈ４よりも小さく、かつ幅狭部３９の幅ｈ５よりも大きくなっており、ｈ４＞ｈ６＞ｈ５の関係が成立するようになっている。そのため、ワイヤ部材４１は幅広部３８として機能しているワイヤ部材収納部４０内では自由に移動し、幅広部３８から幅狭部３９に移る段差部において左右両端面のいずれかが当たって、幅狭部３９内まで移動するのを規制でき、ワイヤ部材４１の位置ズレを確実に防止することができるようになっている。
【００４５】
次に、本実施の形態に係るマスク３１の作用効果について説明する。本実施の形態に係るマスク３１は、使用者が耳掛け部３ａ，３ｂを耳に引っ掛けて装着すると、マスク３１と使用者の顔との間に隙間ができているので、使用者の手によってワイヤ部材４１の形状を変えて、使用者の顔の形状に沿う形に変形させる。このようにすることで、使用者の顔の形状に合い、フィットさせることができる。マスク３１を使用者の顔にフィットさせると、マスク本体３２が鼻口部を全体的に覆い、かつ使用者の顔と外部に飛散している埃や粉じんなどを吸引するのを確実に防止することができる。
【００４６】
また、本実施の形態に係るマスク３１では、このように使用者がマスク３１を装着した後に第３線状接合部３３の形状も任意に変形させることができる。マスク３１は、第３線状接合部３３にはワイヤ部材収納部４０にワイヤ部材４１が配置されているので、使用者が第３線状接合部３３に配置されているワイヤ部材４１によって、変形後の形状を保持する。そのため、マスク３１を装着したときにマスク本体３２と使用者の顔面との間に空間を形成することができる。そのため、本実施の形態に係るマスク３１によれば、使用者がマスク３１を装着したときに、マスク本体３２が使用者の顔面に触れたりして息苦しさを与えたり、不快感を与えることを確実に防止することができる。
【００４７】
また、使用者が一旦マスク３１を顔からとってポケット等に入れると、ワイヤ部材４１の形状はマスク３１の装着時とは全く異なった形状になることが多い。また、ポケット等に入れたマスク３１は、ワイヤ部材４１がワイヤ部材収納部４０内において移動したりするため、当初の形状を保ちながらポケット内にいることがない。このような場合に本実施の形態に係るマスク３１によれば、ワイヤ部材４１の幅ｈ６と幅狭部１７の幅ｈ５との関係がｈ６＞ｈ５となっているので、ワイヤ部材収納部４０内でワイヤ部材４１が移動しても、ワイヤ部材４１の左右方向の端面が段差部に当ってそれ以上の移動が規制される。そのため、ワイヤ部材４１が大きく位置ズレを起こしたり、それによって使用者が再度着用するときに位置ズレを起こしたワイヤ部材４１を元の位置に戻さなければいけないといった煩雑さを確実に解消することができる。
【００４８】
さらに、本実施の形態に係るマスク３１によれば、ワイヤ部材収納部４０に遊び部４２を形成しているので、マスク３１を製造するときに誤ってワイヤ部材４１をマスク本体３２と一緒に接合してしまって、マスク本体３２の柔軟性を損なうという不具合をなくし、ワイヤ部材４１とマスク本体３２を別々にした状態で接合することができる。
【００４９】
以上、本考案に係るマスクについて詳細に説明したが、上記した実施の形態の態様は本考案に係るマスクの例を示したに過ぎないものである。したがって、本考案に係るマスクは、本考案の趣旨を逸脱しない範囲において、適宜変更してもよい。
【符号の説明】
【００５０】
１，３１  マスク
２，３２  マスク本体
３ａ，３ｂ  耳掛け部
５  表面層
６  裏面層
７  中間層
１０  第１線状接合部
１１  第２線状接合部
１２  第１線状接合線
１３  第２線状接合線
１４  第１段差部
１５  第２段差部
１６，３８  幅広部
１７，３９  幅狭部
１８，４０  ワイヤ部材収納部
１９，４２  遊び部
２０，４１  ワイヤ部材
３３  第３線状接合部
３４  第５線状接合線
３５  第６線状接合線
３６  第３段差部
３７  第４段差部
【図１】
0003220304.tif 000003
【図２】
0003220304.tif 000004
【図３】
0003220304.tif 000005
【手続補正書】
【提出日】平成30年12月21日(2018.12.21)
【手続補正１】
【補正対象書類名】実用新案登録請求の範囲
【補正対象項目名】請求項３
【補正方法】変更
【補正の内容】
【請求項３】
前記幅広部は、前記左右方向の長さが前記ワイヤ部材の前記左右方向の長さよりも長く
なるように形成されており、
前記ワイヤ部材収納部は、前記ワイヤ部材の前記左右両端部と前記段差部との間に遊び
部を有する請求項２記載のマスク。
【手続補正２】
【補正対象書類名】明細書
【補正対象項目名】００１０
【補正方法】変更
【補正の内容】
【００１０】
本考案は、
（１）装着時に使用者の耳に引っ掛けて前記使用者の鼻口部を覆うように装着するマスク
であって、上下方向及び左右方向に所定の大きさを有するとともに、少なくともマスク装
着時に表面側に位置する表面層と前記装着時に前記鼻口部に近接する裏面層とを有する複
数の層を重ね合わせて形成され、前記表面層と前記裏面層とが線状接合部で接合されたマ
スク本体と、前記マスク本体の形状を所定形状に保持するためのワイヤ部材とを備え、前
記線状接合部は、所定の間隔を開けて形成された複数の線状接合線からなり、前記マスク
本体の左右方向中央部から所定長さを有する位置では、互いに隣り合う前記線状接合線と
線状接合線との間隔が前記マスク本体の左右両端部における前記線状接合線と線状接合線
との間隔よりも広くなるように形成された幅広部を有するとともに、前記マスク本体の左
右両端部においては前記幅広部よりも幅が狭い幅狭部を有し、前記幅広部には前記ワイヤ
部材を配置するワイヤ部材収納部が形成されていることを特徴とするマスク、
（２）前記線状接合部には、前記幅広部と前記幅狭部との間に段差部が形成されている上
記（１）記載のマスク、
（３）前記幅広部は、前記左右方向の長さが前記ワイヤ部材の前記左右方向の長さよりも
長くなるように形成されており、前記ワイヤ部材収納部は、前記ワイヤ部材の前記左右両
端部と前記段差部との間に遊び部を有する上記（２）記載のマスク、
（４）前記幅狭部の幅が前記ワイヤ部材の幅よりも狭くなるように形成されている上記（
１）から（３）のいずれかに記載のマスク、
（５）前記ワイヤ部材収納部は、前記マスク本体の高さ方向上部又は高さ方向中央部の少
なくともいずれかに形成されている上記（１）から（４）のいずれかに記載のマスクを要
旨とする。